【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
遊技球の入球が可能な始動口と、
所定の表示領域にて表示演出が行われる演出表示手段と、
前記始動口への遊技球の入球に基づいて、大当たりであるか否かの大当たり判定処理を行いうる大当たり判定手段と、
前記大当たり判定処理の結果が大当たりであることに基づいて、遊技者が賞を獲得可能とされる大当たり遊技処理を実行する大当たり遊技処理実行手段と、
前記大当たり判定処理の結果が大当たりとなる大当たり期待度を該大当たり判定処理の実行条件が成立するよりも前に示す先行演出を実行可能な演出表示制御手段と、を備え、
前記始動口として、第１の始動口、及び特定可動片が動作するときに受け入れ容易とされる第２の始動口が設けられてなり、
前記先行演出として、特定条件下でのみ演出実行条件が成立しうる特定先行演出が用意されており、
前記大当たり判定手段は、
前記遊技球の入球された始動口が前記第１の始動口であるときに、大当たり判定処理を行いうる第１の大当たり判定手段と、
前記遊技球の入球された始動口が前記第２の始動口であるときに、大当たり判定処理を行いうる第２の大当たり判定手段と、
前記第１の大当たり判定手段による大当たり判定処理と前記第２の大当たり判定手段による大当たり判定処理との同時消化を回避してそれらが択一的に消化されるように制御する消化順序制御手段と
を有するものであり、
前記演出表示制御手段は、
前記第１の大当たり判定手段による大当たり判定処理の結果に応じた第１演出表示と前記第２の大当たり判定手段による大当たり判定処理の結果に応じた第２演出表示とのいずれもが共通の表示部にて出現しうる特定表示手段と、
前記消化順序制御手段による制御の結果に基づいて前記第１演出表示と前記第２演出表示との同時出現を回避してそれらが前記共通の表示部において択一的に出現しうるように制御する択一演出制御手段と、
前記第２の始動口への遊技球の入球に基づいて第２側特定表示を出現させる制御を実行可能な第２側特定表示制御手段と、
前記第１の始動口への遊技球の入球情報と前記第２の始動口への遊技球の入球情報との両方が取得可能とされて前記第１演出表示と前記第２演出表示とが前記共通の表示部において択一的に出現しうるようにされているにもかかわらず、前記第２の始動口側への遊技球の入球に応じた前記第２側特定表示の出現数が所定値以上である場合に、前記特定先行演出にかかる前記演出実行条件が成立しうるように制御する特定先行演出実行制御手段と
を有しており、
前記特定先行演出の演出実行条件に関わる第２側特定表示は、その出現数が所定値以上であるか否かが遊技者に認識可能となるように示されうるとともに、
前記演出実行条件の成立によって実行される前記特定先行演出は、前記大当たり判定処理の結果に応じて複数パターンの表示態様のいずれかによって表示され、
前記特定条件下でのみ成立しうる前記演出実行条件は、前記第２側特定表示の出現数が所定値以上である場合に、前記大当たり判定処理の結果として得られる大当たりが特定の種別であることを条件に成立しうるものであり、
前記特定条件下でのみ成立しうる前記演出実行条件が成立した場合、該演出実行条件が成立したことが報知されうる
ことを特徴とする遊技機。
【請求項２】
請求項１に記載の遊技機において、
音の出力にかかる制御を行う音出力制御手段
をさらに備えることを特徴とする遊技機。
【請求項３】
請求項１または２に記載の遊技機において、
発光にかかる制御を行う発光制御手段
をさらに備えることを特徴とする遊技機。
【手続補正２】
【補正対象書類名】明細書
【補正対象項目名】０００２
【補正方法】変更
【補正の内容】
【０００２】
従来、始動口への遊技球の入球があったことを契機として、大当たりについての当落にかかる判定処理が行われる遊技機が知られている。すなわち、この種の遊技機では、始動口への遊技球の入球があるか否かを判断する。そして、始動口への入球があったときは、予め定められた当選確率をもって大当たりについての判定を行う。そしてこの結果、上記大当たりが当選されたときは、遊技者に大量の遊技球が払い出される大当たり遊技を行う。
また、同遊技機では、大当たりについての当落にかかる判定処理が行われるときには、液晶画面にて複数の図柄を変動表示させる。次いで、こうして変動表示された複数の図柄が、大当たりに当選されたことを示唆する特別な図柄組み合わせにて停止表示されるか否かについての期待演出が行われる。これにより、遊技者は、特別な図柄組み合わせにて停止表示されるか否かについての上記期待演出に一喜一憂してこれを楽しむとともに、最終的に停止表示される図柄組み合わせから上記判定処理の結果を認識して遊技できるようになる。
ただし、このような複数の図柄による期待演出だけでは単調な演出になってしまい、遊技興趣が低下する懸念がある。そこで、例えば特許文献１に記載の遊技機では、始動口として、２つの始動口（第１の始動口、第２の始動口）を用意し、これら始動口の別に、大当たりに当選されたかについての期待演出を行うようにしている。
【手続補正３】
【補正対象書類名】明細書
【補正対象項目名】０００３
【補正方法】変更
【補正の内容】
【０００３】
【特許文献１】特開２００６−３２０４２２号公報
【手続補正４】
【補正対象書類名】明細書
【補正対象項目名】０００４
【補正方法】変更
【補正の内容】
【０００４】
しかしながら、このような従来の遊技機では遊技興趣の低下が懸念される。
そこで、本発明は上記課題に鑑みてなされたもので、遊技興趣の低下を抑制することのできる遊技機を提供することを目的とする。
【手続補正５】
【補正対象書類名】明細書
【補正対象項目名】０００６
【補正方法】変更
【補正の内容】
【０００６】
［構成例１］
遊技球の入球が可能な始動口と、所定の表示領域にて表示演出が行われる演出表示手段と、前記始動口への遊技球の入球に基づいて、大当たりであるか否かの大当たり判定処理を行いうる大当たり判定手段と、前記大当たり判定処理の結果が大当たりであることに基づいて、遊技者が賞を獲得可能とされる大当たり遊技処理を実行する大当たり遊技処理実行手段と、前記大当たり判定処理の結果が大当たりとなる大当たり期待度を該大当たり判定処理の実行条件が成立するよりも前に示す先行演出を実行可能な演出表示制御手段と、を備え、前記始動口として、第１の始動口、及び特定可動片が動作するときに受け入れ容易とされる第２の始動口が設けられてなり、前記先行演出として、特定条件下でのみ演出実行条件が成立しうる特定先行演出が用意されており、前記大当たり判定手段は、前記遊技球の入球された始動口が前記第１の始動口であるときに、大当たり判定処理を行いうる第１の大当たり判定手段と、前記遊技球の入球された始動口が前記第２の始動口であるときに、大当たり判定処理を行いうる第２の大当たり判定手段と、前記第１の大当たり判定手段による大当たり判定処理と前記第２の大当たり判定手段による大当たり判定処理との同時消化を回避してそれらが択一的に消化されるように制御する消化順序制御手段とを有するものであり、前記演出表示制御手段は、前記第１の大当たり判定手段による大当たり判定処理の結果に応じた第１演出表示と前記第２の大当たり判定手段による大当たり判定処理の結果に応じた第２演出表示とのいずれもが共通の表示部にて出現しうる特定表示手段と、前記消化順序制御手段による制御の結果に基づいて前記第１演出表示と前記第２演出表示との同時出現を回避してそれらが前記共通の表示部において択一的に出現しうるように制御する択一演出制御手段と、前記第２の始動口への遊技球の入球に基づいて第２側特定表示を出現させる制御を実行可能な第２側特定表示制御手段と、前記第１の始動口への遊技球の入球情報と前記第２の始動口への遊技球の入球情報との両方が取得可能とされて前記第１演出表示と前記第２演出表示とが前記共通の表示部において択一的に出現しうるようにされているにもかかわらず、前記第２の始動口側への遊技球の入球に応じた前記第２側特定表示の出現数が所定値以上である場合に、前記特定先行演出にかかる前記演出実行条件が成立しうるように制御する特定先行演出実行制御手段とを有しており、前記特定先行演出の演出実行条件に関わる第２側特定表示は、その出現数が所定値以上であるか否かが遊技者に認識可能となるように示されうるとともに、前記演出実行条件の成立によって実行される前記特定先行演出は、前記大当たり判定処理の結果に応じて複数パターンの表示態様のいずれかによって表示され、前記特定条件下でのみ成立しうる前記演出実行条件は、前記第２側特定表示の出現数が所定値以上である場合に、前記大当たり判定処理の結果として得られる大当たりが特定の種別であることを条件に成立しうるものであり、前記特定条件下でのみ成立しうる前記演出実行条件が成立した場合、該演出実行条件が成立したことが報知されうることを特徴とする遊技機。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
本発明の遊技機によれば、遊技興趣の低下を抑制することができる